(57)【要約】【課題】下向伝送のためにＴＤＭ方式を利用し、上向伝送のためにＣＤＭＡ方式を使用することによって、複雑なＭＡＣを使用しない受動型光加入者ネットワークを提供する。【解決手段】ＯＮＴ１０１〜１１６と、上向と下向の波長を分離するＷＤＭフィルタ２０，２６と、上向信号を上位ネットワークに転送し、上位ネットワークからの転送信号を下向信号としてＯＮＴに伝送するＯＬＴ３０１〜３０Ｎと、上向信号を結合する光カプラ２００と、を備え、各ＯＮＴは、下位インターフェースとのスイッチング部１０、イーサネット（登録商標）信号を−１，＋１レベルに変換するレベル変換器１２、各ＯＮＴ固有のＣＤＭＡコードを発生するコード発生器２４、帯域拡散を行う乗算器１４、光変調を行う光変調器１６，１８を備え、ＯＬＴは、上向信号を光電変換する光受信器２８、信号を分波する分波器２９、ＣＤＭＡコードを発生するコード発生器３４、逆拡散を行う乗算器３２、相関計算を通じてデータを抽出するデータ判別器３６を備える。【選択図】    図２
2004282742.tif 000002
【特許請求の範囲】
【請求項１】
受動型光加入者ネットワークにおいて、
加入者に対応する複数のＯＮＴと、
これら複数のＯＮＴとこれより上位のネットワークとの間で通信を行う通信手段と、
前記加入者から伝送される上向波長と前記加入者へ伝送される下向波長とを前記通信手段のために分離する複数のＷＤＭフィルタと、を含み、
前記通信手段は、上向波長の伝送と下向波長の伝送とで相互排他的なプロトコルを使用することを特徴とする受動型光加入者ネットワーク。
【請求項２】
上向波長伝送のためのプロトコルがコード分割多重接続方式である請求項１に記載の受動型光加入者ネットワーク。
【請求項３】
下向波長伝送のためのプロトコルが時分割多重化方式である請求項２に記載の受動型光加入者ネットワーク。
【請求項４】
上向波長伝送のためのプロトコルは、複数のＯＮＴを含む下位局から上位局への重畳された上向通信の衝突を回避するＭＡＣを不要とする請求項１に記載の受動型光加入者ネットワーク。
【請求項５】
通信手段は、複数のＯＮＴを含む下位局から上位局への上向通信のためのバーストモードＩＣを不要とする請求項２に記載の受動型光加入者ネットワーク。
【請求項６】
上向伝送にコード分割多重接続方式を適用した受動型光加入者ネットワークであって、
加入者に対応する複数のＯＮＴと、
前記加入者から伝送される上向波長と前記加入者へ伝送される下向波長とを分離する複数のＷＤＭフィルタと、
前記上向波長の上向信号を前記ＷＤＭフィルタを介し前記ＯＮＴから受信して上位ネットワークに転送し、上位ネットワークから転送されてきた信号を前記下向波長の下向信号として前記ＷＤＭフィルタを介し前記ＯＮＴに伝送するＯＬＴと、
前記複数のＯＮＴからの上向信号を結合して前記ＯＬＴへ伝送する光カプラと、を備え、
前記各ＯＮＴは、少なくとも１つの下位インターフェースと連結される第１スイッチング部、‘０’及び‘１’レベルを有するイーサネット（登録商標、以下同）信号を‘−１’及び‘＋１’レベルのデータ信号に変換するレベル変換器、前記各ＯＮＴを区分するための固有コードとしてコード分割多重接続方式コードを発生する第１コード発生器、前記データ信号を前記コード分割多重接続方式コードで処理することによって帯域拡散機能を遂行する第１乗算器、及び前記帯域拡散後の信号を光信号に変調する光変調器を備え、前記下位インターフェースからのイーサネット信号を前記上向信号として前記ＷＤＭフィルタ及び前記光カプラを介し送出し、
前記ＯＬＴは、前記ＷＤＭフィルタを介し前記上向信号を受信して光電変換する光受信器、該変換されたコード分割多重接続方式の信号を分波する分波器、逆拡散のためのコード分割多重接続方式コードを発生する複数の第２コード発生器、前記分波後の信号を前記第２コード発生器によるコードで処理することにより逆拡散を行う複数の第２乗算器、及び前記逆拡散後の信号に対する相関計算を通じてデータを抽出する複数のデータ判別器を備え、前記ＯＮＴからの前記上向信号を上位ネットワークに転送することを特徴とする受動型光加入者ネットワーク。
【請求項７】
ＯＮＴ及びＯＬＴのコード発生器は、１００Mbpsイーサネット信号に対して１６チップシーケンスを発生する１．６Gcpsコード発生器である請求項６に記載の受動型光加入者ネットワーク。
【請求項８】
下位インターフェースにコンピュータを含む請求項６に記載の受動型光加入者ネットワーク。
【請求項９】
ＯＮＴ及びＯＬＴのコード発生器は、１６チップウォルシュアダマールコードを使用する請求項７に記載の受動型光加入者ネットワーク。
【請求項１０】
分波器は、１つの入力及び１６個の出力を有する１×１６構造である請求項７に記載の受動型光加入者ネットワーク。
【請求項１１】
ＯＮＴ及びＯＬＴのコード発生器は、１００Mbpsイーサネット信号に対して３２チップシーケンスを発生する３．２Gcpsコード発生器である請求項６に記載の受動型光加入者ネットワーク。
【請求項１２】
分波器は、１つの入力及び３２個の出力を有する１×３２構造である請求項１１に記載の受動型光加入者ネットワーク。
【請求項１３】
上向伝送にコード分割多重接続方式を適用した受動型光加入者ネットワークであって、
複数のグループに分けられた加入者に対応する複数のＯＮＴと、
前記加入者から伝送される上向波長及び前記加入者へ伝送される下向波長を分離するための複数のＷＤＭフィルタと、
前記上向波長の上向信号を前記ＷＤＭフィルタを介し前記ＯＮＴから受信して上位ネットワークに転送し、上位ネットワークから転送されてきた信号を前記下向波長の下向信号として前記ＷＤＭフィルタを介し前記ＯＮＴに伝送するＯＬＴと、
前記複数のＯＮＴからの上向信号を結合して前記ＯＬＴへ伝送する光カプラと、を備え、
前記各ＯＮＴは、少なくとも１つの下位インターフェースと連結される第１スイッチング部、‘０’及び‘１’レベルを有するイーサネット信号を‘−１’及び‘＋１’レベルのデータ信号に変換するレベル変換器、前記各ＯＮＴを区分するための固有コードとしてコード分割多重接続方式コードを発生する第１コード発生器、前記データ信号を前記コード分割多重接続方式コードで処理することによって１次帯域拡散機能を遂行するための第１乗算器、自分の属するグループと他のグループとを区分するためのＰＮコードを発生する第１ＰＮコード発生器、前記１次帯域拡散後のデータ信号を前記第１ＰＮコード発生器によるＰＮコードで処理することによって２次帯域拡散機能を遂行するための第２乗算器、及び前記２次帯域拡散後の信号を光信号に変調する光変調器を備え、前記下位インターフェースからのイーサネット信号を前記上向信号として前記ＷＤＭフィルタ及び前記光カプラを介し送出し、
前記ＯＬＴは、前記ＷＤＭフィルタを介し前記上向信号を受信して光電変換する光受信器、該変換されたコード分割多重接続方式の信号を分波する分波器、前記ＯＮＴのグループを識別するためのＰＮコードを発生する複数の第２ＰＮコード発生器、前記分波後の信号を前記第２ＰＮコード発生器によるＰＮコードで処理することにより１次逆拡散を行う複数の第３乗算器、逆拡散のためのコード分割多重接続方式コードを発生する複数の第２コード発生器、前記１次逆拡散後の信号を前記第２コード発生器によるコードで処理することにより２次逆拡散を行う複数の第４乗算器、及び前記２次逆拡散後の信号に対する相関計算を通じてデータを抽出する複数のデータ判別器を備え、前記ＯＮＴからの前記上向信号を上位ネットワークに転送することを特徴とする受動型光加入者ネットワーク。
【請求項１４】
上向伝送にコード分割多重接続方式を適用した受動型光加入者ネットワークであって、
複数のグループに分けられた加入者に対応する複数のＯＮＴと、
前記加入者から伝送される上向波長及び前記加入者へ伝送される下向波長を分離するための複数のＷＤＭフィルタと、
前記上向波長の上向信号を前記ＷＤＭフィルタを介し前記ＯＮＴから受信して上位ネットワークに転送し、上位ネットワークから転送されてきた信号を前記下向波長の下向信号として前記ＷＤＭフィルタを介し前記ＯＮＴに伝送するＯＬＴと、
前記複数のＯＮＴからの上向信号を結合して前記ＯＬＴへ伝送する光カプラと、を備え、
前記各ＯＮＴは、少なくとも１つの下位インターフェースと連結される第１スイッチング部、‘０’及び‘１’レベルを有するイーサネット信号を‘−１’及び‘＋１’レベルのデータ信号に変換するレベル変換器、前記各ＯＮＴを区分するための固有コードとしてコード分割多重接続方式コードを発生する第１コード発生器、前記データ信号を前記コード分割多重接続方式コードで処理することによって帯域拡散機能を遂行するための第１乗算器、及び自分の属するグループと他のグループとを区分するための波長を有し前記帯域拡散後の信号を光変調する光変調器を備え、前記下位インターフェースからのイーサネット信号を前記上向信号として前記ＷＤＭフィルタ及び前記光カプラを介し送出し、
前記ＯＬＴは、前記ＷＤＭフィルタを介し受信された前記上向信号を波長別に分離してグループ別に区分するための波長分割逆多重化フィルタ、前記波長別に分離された信号を光電変換するための複数の光受信器、前記変換されたコード分割多重接続方式の信号を分波する複数の分波器、逆拡散のためのコード分割多重接続方式コードを発生する複数の第２コード発生器、前記分波後の信号を前記第２コード発生器によるコードで処理することにより逆拡散を行う複数の第２乗算器、及び前記逆拡散後の信号に対する相関計算を通じてデータを抽出する複数のデータ判別器を備え、前記ＯＮＴからの前記上向信号を上位ネットワークに転送することを特徴とする受動型光加入者ネットワーク。
【請求項１５】
上向波長及び下向波長が同一である場合にＷＤＭフィルタとして光サーキュレータを使用する請求項１４記載の受動型光加入者ネットワーク。
【請求項１６】
受動型光加入者ネットワークにおける通信方法において、
(ａ)加入者に対応する複数のＯＮＴを提供する段階と、
(ｂ)前記複数のＯＮＴとこれより上位のネットワークとの間で双方向通信を行う通信手段を提供する段階と、
(ｃ)前記加入者から伝送される上向波長と前記加入者へ伝送される下向波長とを前記通信手段のために分離する段階と、を含み、
段階(ｂ)の通信手段で、前記上向波長の伝送と前記下向波長の伝送とに相互排他的なプロトコルを使用することを特徴とする通信方法。
【請求項１７】
上向波長のためのプロトコルがコード分割多重接続方式である請求項１６に記載の通信方法。
【請求項１８】
下向波長のためのプロトコルが時分割多重化方式である請求項１６に記載の通信方法。
【請求項１９】
上向波長伝送のためのプロトコルは、複数のＯＮＴを含む下位局から上位局への重畳される上向通信の衝突を回避するＭＡＣを不要とする請求項１６に記載の通信方法。
【請求項２０】
通信手段は、複数のＯＮＴを含む下位局から上位局への上向通信のためのバーストモードＩＣを不要とする請求項１６に記載の通信方法。
【発明の詳細な説明】
【技術分野】
【０００１】
本発明は、加入者に大容量データを高速で提供するための受動型光加入者ネットワーク(Passive Optical Network：ＰＯＮ)に関する。より詳細には、加入者に１００Mbps以上の大容量通信サービス、高速通信サービス及び放送サービスを提供するための１つのＯＬＴ(Optical Line Terminal)、複数のＯＮＴ(Optical Network Terminal)、及び受動型光分波器／結合器から構成され、コード分割多重接続(Code Division Multiple Access：ＣＤＭＡ)方式を適用した受動型光加入者ネットワークに関する。
【背景技術】
【０００２】
最近、インターネットサービスプロバイダ(Internet Service Provider：ＩＳＰ)のような多くのサービスは、ＡＤＳＬ(Asymmetric Digital Subscriber Line)、ケーブルモデム(cable modem)、ダイヤルアップモデム(dial-up modem)、メトロイーサネット(Metro-Ethernet)のいずれかを利用することにより、ほとんどのインターネットサービス加入者から、５６kbps〜数Mbpsの速度でアクセスされている（イーサネット及びEthernetは登録商標、以下同）。さらに、大容量のファイルをダウンロードする加入者の情報要求量が増加するにつれて、ＶＤＳＬ(Very High Bit-rate Digital Subscriber Line)などを利用して１０Mbps以上のデータサービスの提供が可能になった。しかしながら、大容量映像情報サービス、ＶｏＤ(Video on Demand)サービス、高画質放送サービスなどを加入者に提供するためには約１００Mbpsのデータの伝送が要求されるが、前述した技術によってはこれらを含む多様なサービスを提供することは不可能である。従って、光通信を利用した光加入者ネットワーク構築の必要性が急増しており、最も経済的に光加入者ネットワークを構成する方式としてＰＯＮ方式が提示及び開発されている。
【０００３】
ＰＯＮは、ＯＬＴ(Optical Line Terminal)、複数のＯＮＵ(Optical Network Unit)またはＯＮＴ(Optical Network Terminal)(以下、説明の便宜のためにＯＮＴと称する)、及び受動光カプラから構成される。ＰＯＮは、通信方式によって３つに区分される。
【０００４】
図１Ａは、従来の技術による非同期転送モード(asynchronous transfer mode：ＡＴＭ)方式を適用したＡＴＭ−ＰＯＮを示し、図１Ｂは、従来の技術によるイーサネット方式を適用ｙしたイーサネット(Ethernet)ＰＯＮを示し、図１Ｃは、従来の技術による波長分割多重(wavelength-division multiplexing：ＷＤＭ)方式を適用したＷＤＭ−ＰＯＮを示す。さらに、図１Ｄは、コード分割多重接続(ＣＤＭＡ)方式を適用した光加入者ネットワークを示す。
【０００５】
ＰＯＮの第１方式は、図１Ａに示すＡＴＭ−ＰＯＮであり、上向通信(upstream)のために１３１０nmの波長で１５５MbpsのＡＴＭセルを伝送し、下向通信(downstream)のためには１５５０nmの波長で１５５／６２２Mbpsのデータをセル単位で伝送する。第２方式は、図１Ｂに示すイーサネットＰＯＮであり、上下向波長はＡＴＭ−ＰＯＮと同一であるが、上下向信号の両方とも１．２５Gbpsのギガビットイーサネット(Gigabit Ethernet)信号を使用する。ＡＴＭ−ＰＯＮは、固定長のセルを使用するが、イーサネットＰＯＮは、可変長のイーサネットフレームを使用する。第３方式は、ＷＤＭ−ＰＯＮ方式であり、ＯＮＵ毎に個別的な送受信波長を割り当てる。従って、図１Ｃに示すように、ＷＤＭ−ＰＯＮは、ＡＴＭ−ＰＯＮ及びイーサネットＰＯＮと異なって、受動型光カプラでない波長多重化／逆多重化器を使用する。
【０００６】
さらに、ＣＤＭＡ技術を適用した方式を図１Ｄに示す。この方式は、上下向通信の両方ともにＣＤＭＡ技術を適用する。また、この方式による上下向データは、約１０Mbpsで伝送される。
【０００７】
従来の技術のＡＴＭ−ＰＯＮ及びイーサネットＰＯＮは、下向通信のために時分割多重化(Time Division Multiplexing：ＴＤＭ)技術を使用し、上向通信のために時分割多重接続(Time Division Multiple Access：ＴＤＭＡ)技術を利用してデータを伝送する。下向信号の場合、放送(broadcasting)方式でデータを伝送するので、信号の衝突の問題はない。しかしながら、上向信号の場合、２つ以上のＯＮＴが同時に信号をＯＬＴに伝送しようとすると、同一の波長を使用するので、受動光カプラにおいて信号間の衝突が発生する。従って、この問題を解決するために、ＡＴＭ−ＰＯＮ及びイーサネットＰＯＮは、複雑なＭＡＣ(Media Access Control)プロトコルを使用する必要がある。さらに、ＯＬＴとＯＮＴとの間の距離が異なるので、ＯＬＴの光受信器には異なる強度の多様な光信号が入力され、これら多様な光信号を安定的に受信するためには、バーストモードＩＣ(ＢＭＩＣ：Burst Mode IC)が要求される。ＯＮＴの光送信器は、伝送する信号が存在する時のみに送信器を動作させるＢＭＩＣが必要であり、ＡＴＭ−ＰＯＮ及びイーサネットＰＯＮがＭＡＣなどを使用するので、ＡＴＭ−ＰＯＮ及びイーサネットＰＯＮが保障された(guaranteed)帯域幅を受けるのには大きな限界がある。
【０００８】
ＷＤＭ−ＰＯＮの場合、ＭＡＣが使用されないので、ＰＯＮシステムの動作が簡単であり、広い帯域幅を効率的に保障することができるが、光通信モジュールの低価格化が難しいため、低価格化のための持続的な研究及び開発が進行中である。
【０００９】
ＣＤＭＡを適用した光加入者ネットワークの場合、上向通信にＣＤＭＡが適用されるので、ＭＡＣを使用する必要がないという利点がある。しかしながら、光加入者ネットワークにおいて、放送形態を採用する下向通信にはＭＡＣが必要ないにもかかわらず、下向通信にもＣＤＭＡ技術が適用されているので、ＯＮＴ及びＯＬＴの構造が複雑になり、コストが増加する原因となっている。さらに、ＯＬＴ下位のスイッチによって加入者別にデータを分離して伝送すべきであるので、ＯＬＴの動作が複雑になる。
【発明の開示】
【発明が解決しようとする課題】
【００１０】
従って、本発明の目的は、加入者に高速で大容量データを提供するために、下向信号はイーサネットＰＯＮと同様にＴＤＭ技術を利用する一方、ＯＮＴからＯＬＴに信号を伝送するためには従来のＴＤＭＡ技術でないＣＤＭＡ技術を使用することによって、複雑なＭＡＣを使用しない受動型光加入者ネットワークを提供することにある。
【００１１】
本発明の他の目的は、ＯＬＴの光受信器及びＯＮＴの光送信器のためにＢＭＩＣを使用せずに従来の光送受信器を使用することのできるＰＯＮを提供することにある。
【００１２】
本発明のまた他の目的は、各ＯＮＴが伝送するデータを有する時はいつでもデータをＯＬＴに伝送することを可能にすることによって常に帯域幅を保障することのできるＰＯＮを提供することにある。
【００１３】
本発明のまた他の目的は、ＣＤＭＡを適用することによって上向伝送信号の暗号化を容易にすることで、ＰＯＮにおいて問題点として指摘されるセキュリティの問題を解決したＰＯＮを提供することにある。
【００１４】
本発明のまた他の目的は、従来の技術によるＣＤＭＡを適用した光加入者ネットワークに比べてＯＬＴ及びＯＮＴの構造を簡素化したＰＯＮを提供することにある。
【課題を解決するための手段】
【００１５】
このような目的を達成するための本発明による受動型光加入者ネットワークは、加入者に対応する複数のＯＮＴと、これら複数のＯＮＴとこれより上位のネットワークとの間で通信を行う通信手段と、加入者から伝送される上向波長と加入者へ伝送される下向波長とを通信手段のために分離する複数のＷＤＭフィルタと、を含み、通信手段は、上向波長の伝送と下向波長の伝送とで相互排他的なプロトコルを使用することを特徴とする。あるいは、受動型光加入者ネットワークにおける通信方法において、(ａ)加入者に対応する複数のＯＮＴを提供する段階と、(ｂ)その複数のＯＮＴとこれより上位のネットワークとの間で双方向通信を行う通信手段を提供する段階と、(ｃ)加入者から伝送される上向波長と加入者へ伝送される下向波長とを通信手段のために分離する段階と、を含み、段階(ｂ)の通信手段で、上向波長の伝送と下向波長の伝送とに相互排他的なプロトコルを使用することを特徴とする。
【００１６】
その上向波長伝送のためのプロトコルは、コード分割多重接続方式とする。一方、下向波長伝送のためのプロトコルは時分割多重化方式とすることができる。このような上向波長伝送のためのプロトコルは、複数のＯＮＴを含む下位局から上位局への重畳された上向通信の衝突を回避するＭＡＣを不要とする。また、通信手段は、複数のＯＮＴを含む下位局から上位局への上向通信のためのバーストモードＩＣを不要とする。
【００１７】
より具体的な本発明の一態様は、上向伝送にコード分割多重接続方式を適用した受動型光加入者ネットワークであって、加入者に対応する複数のＯＮＴと、加入者から伝送される上向波長と加入者へ伝送される下向波長とを分離する複数のＷＤＭフィルタと、上向波長の上向信号をＷＤＭフィルタを介しＯＮＴから受信して上位ネットワークに転送し、上位ネットワークから転送されてきた信号を下向波長の下向信号としてＷＤＭフィルタを介しＯＮＴに伝送するＯＬＴと、複数のＯＮＴからの上向信号を結合してＯＬＴへ伝送する光カプラと、を備え、各ＯＮＴは、少なくとも１つの下位インターフェースと連結される第１スイッチング部、‘０’及び‘１’レベルを有するイーサネット信号を‘−１’及び‘＋１’レベルのデータ信号に変換するレベル変換器、各ＯＮＴを区分するための固有コードとしてコード分割多重接続方式コードを発生する第１コード発生器、データ信号をコード分割多重接続方式コードで処理することによって帯域拡散機能を遂行する第１乗算器、及び帯域拡散後の信号を光信号に変調する光変調器を備え、下位インターフェースからのイーサネット信号を上向信号としてＷＤＭフィルタ及び光カプラを介し送出し、ＯＬＴは、ＷＤＭフィルタを介し上向信号を受信して光電変換する光受信器、変換されたコード分割多重接続方式の信号を分波する分波器、逆拡散のためのコード分割多重接続方式コードを発生する複数の第２コード発生器、分波後の信号を第２コード発生器によるコードで処理することにより逆拡散を行う複数の第２乗算器、及び逆拡散後の信号に対する相関計算を通じてデータを抽出する複数のデータ判別器を備え、ＯＮＴからの上向信号を上位ネットワークに転送することを特徴とする。
【００１８】
このようなＯＮＴ及びＯＬＴのコード発生器は、１００Mbpsイーサネット信号に対して１６チップシーケンスを発生する１．６Gcpsコード発生器とすることができる。この場合特に、１６チップウォルシュアダマールコードを使用すると良い。また、下位インターフェースにはコンピュータを含むことができる。さらに分波器は、１つの入力及び１６個の出力を有する１×１６構造とすることができる。
【００１９】
あるいは、ＯＮＴ及びＯＬＴのコード発生器は、１００Mbpsイーサネット信号に対して３２チップシーケンスを発生する３．２Gcpsコード発生器とすることもできる。この場合の分波器は、１つの入力及び３２個の出力を有する１×３２構造とする。
【００２０】
この他に本発明の別の態様は、上向伝送にコード分割多重接続方式を適用した受動型光加入者ネットワークであって、複数のグループに分けられた加入者に対応する複数のＯＮＴと、加入者から伝送される上向波長及び加入者へ伝送される下向波長を分離するための複数のＷＤＭフィルタと、上向波長の上向信号をＷＤＭフィルタを介しＯＮＴから受信して上位ネットワークに転送し、上位ネットワークから転送されてきた信号を下向波長の下向信号としてＷＤＭフィルタを介しＯＮＴに伝送するＯＬＴと、複数のＯＮＴからの上向信号を結合してＯＬＴへ伝送する光カプラと、を備え、各ＯＮＴは、少なくとも１つの下位インターフェースと連結される第１スイッチング部、‘０’及び‘１’レベルを有するイーサネット信号を‘−１’及び‘＋１’レベルのデータ信号に変換するレベル変換器、各ＯＮＴを区分するための固有コードとしてコード分割多重接続方式コードを発生する第１コード発生器、前記データ信号を前記コード分割多重接続方式コードで処理することによって１次帯域拡散機能を遂行するための第１乗算器、自分の属するグループと他のグループとを区分するためのＰＮコードを発生する第１ＰＮコード発生器、１次帯域拡散後のデータ信号を前記第１ＰＮコード発生器によるＰＮコードで処理することによって２次帯域拡散機能を遂行するための第２乗算器、及び２次帯域拡散後の信号を光信号に変調する光変調器を備え、下位インターフェースからのイーサネット信号を上向信号としてＷＤＭフィルタ及び光カプラを介し送出し、ＯＬＴは、ＷＤＭフィルタを介し上向信号を受信して光電変換する光受信器、変換されたコード分割多重接続方式の信号を分波する分波器、ＯＮＴのグループを識別するためのＰＮコードを発生する複数の第２ＰＮコード発生器、分波後の信号を第２ＰＮコード発生器によるＰＮコードで処理することにより１次逆拡散を行う複数の第３乗算器、逆拡散のためのコード分割多重接続方式コードを発生する複数の第２コード発生器、１次逆拡散後の信号を第２コード発生器によるコードで処理することにより２次逆拡散を行う複数の第４乗算器、及び２次逆拡散後の信号に対する相関計算を通じてデータを抽出する複数のデータ判別器を備え、ＯＮＴからの上向信号を上位ネットワークに転送することを特徴とする。
【００２１】
またさらに本発明の別の態様は、上向伝送にコード分割多重接続方式を適用した受動型光加入者ネットワークであって、複数のグループに分けられた加入者に対応する複数のＯＮＴと、加入者から伝送される上向波長及び加入者へ伝送される下向波長を分離するための複数のＷＤＭフィルタと、上向波長の上向信号をＷＤＭフィルタを介しＯＮＴから受信して上位ネットワークに転送し、上位ネットワークから転送されてきた信号を下向波長の下向信号としてＷＤＭフィルタを介しＯＮＴに伝送するＯＬＴと、複数のＯＮＴからの上向信号を結合してＯＬＴへ伝送する光カプラと、を備え、各ＯＮＴは、少なくとも１つの下位インターフェースと連結される第１スイッチング部、‘０’及び‘１’レベルを有するイーサネット信号を‘−１’及び‘＋１’レベルのデータ信号に変換するレベル変換器、各ＯＮＴを区分するための固有コードとしてコード分割多重接続方式コードを発生する第１コード発生器、データ信号をコード分割多重接続方式コードで処理することによって帯域拡散機能を遂行するための第１乗算器、及び自分の属するグループと他のグループとを区分するための波長を有し帯域拡散後の信号を光変調する光変調器を備え、下位インターフェースからのイーサネット信号を上向信号としてＷＤＭフィルタ及び光カプラを介し送出し、ＯＬＴは、ＷＤＭフィルタを介し受信された上向信号を波長別に分離してグループ別に区分するための波長分割逆多重化フィルタ、波長別に分離された信号を光電変換するための複数の光受信器、変換されたコード分割多重接続方式の信号を分波する複数の分波器、逆拡散のためのコード分割多重接続方式コードを発生する複数の第２コード発生器、分波後の信号を第２コード発生器によるコードで処理することにより逆拡散を行う複数の第２乗算器、及び逆拡散後の信号に対する相関計算を通じてデータを抽出する複数のデータ判別器を備え、ＯＮＴからの上向信号を上位ネットワークに転送することを特徴とする。
【発明の効果】
【００２２】
本発明によると、加入者に大容量のデータを高速で提供するためのＰＯＮは、従来の技術によるＡＴＭ−ＰＯＮ及びイーサネットＰＯＮと異なって、上向データ送信方式としてＴＤＭＡ方式の代わりにＣＤＭＡ方式を適用することによって、従来の技術においては必須であった複雑なＭＡＣプロトコルを使用する必要がない。従って、本発明によるＰＯＮは、ＯＮＴが常にデータを伝送することのできる状態を維持することができるので、従来方式とは異なって１００Mbpsの広い帯域幅を保障することができる。さらに、本発明によるＰＯＮは、従来の技術によるＡＴＭ−ＰＯＮ及びイーサネットＰＯＮのＯＬＴの光受信器、ＯＮＵの光送信器に要求されるＢＭＩＣを要求しないので、既存の常用光通信器を使用することができる。さらに、本発明によるＰＯＮは、上向信号のためにＣＤＭＡ方式を適用するので、通信信号を容易に暗号化することができる。
【００２３】
従って、本発明のＣＤＭＡ適用ＰＯＮの構造は、大容量光加入者ネットワークに効率的に適用することができ、一般的に光加入者ネットワークの究極的な構造として認識されるＷＤＭ−ＰＯＮ方式にも最適である。従って、本発明によるＣＤＭＡ適用ＰＯＮの構造は、従来技術によるＡＴＭ−ＰＯＮ及びイーサネットＰＯＮの問題点を解決することによって、大容量光加入者ネットワークにＦＴＴＣ／ＢまたはＦＴＴＨ形態で適用可能である。
【００２４】
例えば、上向プロトコル及び下向プロトコルは、ＭＡＣのような複雑なプロトコルが衝突問題のためで要求されない限り、他の形態の伝送(ＣＤＭＡ及びＴＤＭＡが望ましくても)になることができる。
【発明を実施するための最良の形態】
【００２５】
以下、本発明の好適な実施形態について添付図を参照しつつ詳細に説明する。下記の説明において、本発明の要旨のみを明確にする目的で、関連した公知機能又は構成に関する具体的な説明は省略する。
【実施例１】
【００２６】
図２は、本発明によるＣＤＭＡを適用したＰＯＮの第１実施例を示す図である。
【００２７】
図２を参照すると、本発明によるＣＤＭＡを適用したＰＯＮは、加入者数に対応する１６個のＯＮＴ１０１〜１１６、１６個のＯＮＴ１０１〜１１６から受信した光信号を上位ネットワークに転送し、上位ネットワークから受信した信号をＯＮＴ１０１〜１１６に伝送するＯＬＴ３０１〜３０Ｎ、及び光カプラ２００から構成される。
【００２８】
下位局（又は下位ネットワーク）であるＯＮＴ１０１〜１１６は、第１スイッチング部１０、レベル変換器１２、コード発生器２４、乗算器１４、レーザドライバー１６、レーザダイオード１８、光受信器(Photo Diode)２２、及びＷＤＭ(Wavelength Division Multiplexing)フィルタ２０を備える。第１スイッチング部１０は、ハブまたはスイッチング装置を有し、コンピュータなどの下位インターフェース２と連結される。レベル変換器１２は、‘０’及び‘１’レベルを有する１００Mbpsイーサネット信号を‘−１’及び‘＋１’レベルに変換する。コード発生器２４は、各ＯＮＴ１０１〜１１６に割り当てられた１．６Gcps(chip per second)のＣＤＭＡコードを発生する。乗算器１４は、帯域拡散のためデータ信号に前記ＣＤＭＡコードをかける。レーザドライバー１６は、レーザ駆動電流を調節するためのドライバーで、これに従いレーザダイオード１８が電気信号を光信号に変調し、これらが光変調器を構成する。光受信器２２は、ＯＬＴから伝送された光信号を電気信号として１．２５Gbpsイーサネット信号を受信する。ＷＤＭフィルタ２０は、上向波長と下向波長を分離する装置である。
【００２９】
上位局（又は上位ネットワーク）であるＯＬＴ３０１〜３０Ｎは、ＷＤＭフィルタ２６、光受信器２８、１×１６分波器２９、１つ以上のコード発生器３４、１つ以上の乗算器３２、１つ以上のデータ判別器３６、第２スイッチング部４０、及び光送信器３８から構成される。ＷＤＭフィルタ２６は、上向波長と下向波長を分離する。光受信器２８は、ＯＮＴ１０１〜１１６から伝送された光信号を受信し、光電変換する。１×１６分波器２９は、受信された上向ＣＤＭＡ信号を分波する。各コード発生器３４は、逆拡散のための装置である。各乗算器３２は、分波後の信号とコードをかけ逆拡散を行う。データ判別器３６は、逆拡散後の信号に対し相関計算によってデータを抽出する。第２スイッチング部４０は、集線器(aggregator)またはスイッチ装置を有し、１００Mbpsイーサネット信号を１．２５Gbpsイーサネット信号に変換する。光送信器３８は、下向に１．２５Gbpsイーサネット信号を伝送するための装置である。さらに、各ＯＬＴ３０１〜３０Ｎは、１．２５Gbpsイーサネットインターフェースを有するスイッチ４００を通じて上位ネットワークに連結される。
【００３０】
以下、図２のＣＤＭＡを適用したＰＯＮの動作を説明する。コンピュータなどの下位インターフェース２から伝送されたデータは第１スイッチング部１０においてスイッチングまたは集線(aggregation)過程を経た後、１００Mbpsイーサネット信号形態でレベル変換器１２に入力される。レベル変換器１２は、‘０’及び‘１’のレベルを有するデータ信号を‘−１’及び‘＋１’のレベルを有する信号に変換する。ＯＮＴ１０１〜１１６毎に１．６Gcpsコードを発生するコード発生器２４は、各加入者を区分するための固有コードを発生する。例えば、１６チップウォルシュアダマール(chip Walsh Hadamard)コードを使用する場合、ＯＮＴ１０１には‘1111111111111111’のコード１が割り当てられ、ＯＮＴ１１６には‘1-1-11-111-1-111-11-1-11’のコード１６が割り当てられる。このように表現されるコードは各データビットに反復的に割り当てられるので、１００Mbpsイーサネット信号に１６チップシーケンス(chip sequence)を与えるためには１．６Gcpsのコード発生器２４を使用すべきである。本実施例において、ＣＤＭＡコードとしてウォルシュアダマールコードが使用されているが、他のコードを活用することもできる。
【００３１】
レベル変換器１２から出力されたデータ信号とコード発生器２４から発生したコードは乗算器１４において乗算されて帯域拡散される。帯域拡散された信号は、レーザドライバー１６においてレーザ駆動レベルに変換され、上向波長λUPを有するレーザ１８において光変調された後、ＷＤＭフィルタ２０を通じて上位局のＯＬＴ３０１に伝送される。さらに、ＯＬＴ３０１から伝送されてきた下向波長λDOWNの下向信号は、ＷＤＭフィルタ２０を通じてそれぞれのＯＮＴ１０１〜１１６の光受信器２２で電気信号に変換された後、１．２５Gbpsイーサネット信号として第１スイッチング手段１０を通じてコンピュータなどの下位インターフェース２に伝達される。
【００３２】
各ＯＮＴ１０１〜１１６から出力されたλUP波長の上向信号は、１×１６光カプラ２００において結合された後、ＯＬＴ３０１に伝送される。１×１６光カプラ２００を通じて伝送された上向信号は、ＯＬＴ３０１内のＷＤＭフィルタ２６によって光受信器２８の方に分離されて光受信器２８において電気信号に変換される。該電気信号は、１×１６分波器２９を通じて１６個の信号に分波された後、これら分波されたそれぞれの信号は、コード発生器３４、乗算器３２、及びデータ判別器３６から構成されるＣＤＭＡ受信器３０に入力される。各ＣＤＭＡ受信器３０において、ＯＮＴ１０１〜１１６から伝送された各データを復元するために、ＯＮＴ１０１〜１１６と同期化したコード発生器３４が、例えば、第１コード〜第１６コードを有するＣＤＭＡコードを発生し、このコードは、乗算器３２において受信信号と乗算される。
【００３３】
乗算された信号は、データ判別器３６において相関計算などの過程を経た後、各ＯＮＴ１０１〜１１６から伝送された１００Mbpsイーサネット信号が復元される。復元された１００Mbpsイーサネット信号は、第２スイッチング部４０において１．２５Gbpsイーサネット信号に変換された後、ＯＬＴ３０１〜３０Ｎが接続されているスイッチ４００を通じて他のＯＬＴ３０２〜３０Ｎまたは上位ネットワークに伝送される。
【００３４】
このような本発明の過程を通じて、各ＯＮＴ１０１〜１１６がＯＬＴ３０１〜３０Ｎに上向データを伝送する時に複雑なＭＡＣが要求されず、各ＯＬＴ３０１〜３０Ｎ内の光受信器においてＢＭＩＣ(Burst Mode IC)が要求されないことが分かる。さらに、ＣＤＭＡ受信器がデータを復元するためには各ＯＮＴ１０１〜１１６内の光送信器を常に“スイッチオン”の状態に維持するので、光受信器用のＢＭＩＣを使用する必要がない。スイッチ４００を通じて上位ネットワークまたは他のＯＬＴ３０２〜３０Ｎから伝達された１．２５Gbpsイーサネット信号は、ＯＬＴ３０１内の光送信器３８で光変調されてＷＤＭフィルタ２６を通過した後、１×１６分波器２００において分波されてＯＮＴ１０１〜１１６に伝送される。
【実施例２】
【００３５】
図３は、３２個のＯＮＴを収容するＣＤＭＡ適用ＰＯＮとした第２実施例を示す図であり、図４は、図３の例のＣＤＭＡ適用ＰＯＮにおけるＯＮＴの構成を示す図であり、図５は、図３の例のＣＤＭＡ適用ＰＯＮにおけるＯＬＴの構成を示す図である。
【００３６】
図３ないし図５を参照すると、３２個のＯＮＴを収容する本例のＣＤＭＡ適用ＰＯＮは、３２個のＯＮＴ１２１〜１５２、ＯＬＴ２３０、及び１×３２光カプラ２０２から構成される。ＯＮＴ１２１〜１５２は、１６個ずつのＯＮＴを含む２つのグループ２１０，２２０に区分される。この方式において、ＯＮＴ１２１〜１５２は、ＰＮ(Pseudo-random Noise)コード発生器２５及び乗算器１５が追加的に必要であるという点以外は、図２のＯＮＴと同一の構造を有する。ＯＬＴ２３０は、１×３２分波器２９、ＰＮコード逆拡散のためのＰＮコード発生器３３及び乗算器３１を追加的に含む。
【００３７】
図３ないし図５を参照して３２加入者を収容する本例の動作原理を説明すると、以下のようである。この方式において、３２個のＯＮＴ１２１〜１５２は、１６個ずつのＯＮＴを含む２つのグループ２１０，２２０に区分される。各ＯＮＴ１２１〜１５２は、図４に示すように１６チップシーケンス(chip sequence)ＣＤＭＡコードを利用して区分される。さらに、各グループは、各ＯＮＴの区分にかまわずにＰＮコードを利用して区分される。つまり、第１グループ２１０は、第１ＰＮコードによって、第２グループ２２０は、第２ＰＮコードによって区分される。従って、各ＯＮＴ１２１〜１５２は、１６チップシーケンスコード発生器以外にグループの区別のためのＰＮコード発生器２５を備え、乗算器１５を通じて帯域拡散を遂行する。各ＯＮＴ１２１〜１５２から発生した信号は、１×３２光カプラ２０２において結合されてＯＬＴ２３０に伝送される。ＯＬＴ２３０において受信された信号は、１×３２分波器５５を通じて３２個の信号に分離される。その分離された信号のうち第１〜第１６信号は、第１グループ２１０のＯＮＴ１２１〜１３６から伝送された信号を検出するために、第１ＰＮコード発生器５３から発生した第１ＰＮコードと乗算器５１において乗算される。第１７〜第３２信号は、第２グループ２２０のＯＮＴ１３７〜１５２から伝送された信号を検出するために、第２ＰＮコード発生器６３から発生した第２ＰＮコードと乗算器６１において乗算される。このような過程を経てグループ別に分離された信号は、図２で説明したように１６チップシーケンスコード発生器から発生したコードとの処理を経て、各ＯＮＴ１２１〜１５２から伝送された１００Mbpsイーサネットデータが復元される。このような方式において、つまり、付加的にＰＮコードを乗算する方式を図２の第１実施例に適用すると、伝送される信号の暗号化が可能であるので、セキュリティの問題を解決することができる。
【実施例３】
【００３８】
図６は、３２個のＯＮＴを収容するＣＤＭＡ適用ＰＯＮとした第３実施例を示す図である。
【００３９】
図６において、３２個のＯＮＴを収容する本例のＰＯＮは、３２個のＯＮＴ、１×３２光カプラ２０４及びＯＬＴ５０１〜５０Ｎから構成される。ＯＮＴ１６１〜１９３及びＯＬＴ５０１〜５０Ｎは、３．２Gcpsコード発生器７２，７４がそれぞれ必要である点以外は、図２に示すＯＮＴ１０１〜１１６及びＯＬＴ３０１〜３０Ｎと同一の構造を有する。さらに、各ＯＬＴ５０１〜５０Ｎにおいて１×３２分波器７６が要求される。
【００４０】
この３２加入者を収容する本例のＣＤＭＡ適用ＰＯＮの動作原理は、図２のＣＤＭＡ適用ＰＯＮとほぼ同様で、、図２の構造は１６加入者を収容するために１６チップシーケンスを有するＣＤＭＡコードを使用するのに対し、図６の構造は３２加入者を収容するために３２チップシーケンスを発生する３．２GcpsのＣＤＭＡコード発生器７２を使用する点で若干の差があるだけである。各ＯＮＴから伝送された信号は、１×３２光カプラ２０４において結合された後、ＯＬＴ５０１〜５０Ｎ内の光受信器２８によって電気信号に変換される。この電気信号は、１×３２分波器７６によって３２個の信号に分波された後、それぞれＣＤＭＡコードを発生するためにコード発生器を有する３２個のＣＤＭＡ受信器において１００Mbpsイーサネットデータに復元される。
【実施例４】
【００４１】
図７は、３２個のＯＮＴを収容するＣＤＭＡ適用ＰＯＮの第４実施例を示す図であり、図８は、その第４実施例における第１グループ内のＯＮＴの構造を示す図であり、図９は、第４実施例における第２グループ内のＯＮＴの構造を示す図である。さらに、図１０は、第４実施例のＯＬＴの構造を示す図である。
【００４２】
図７ないし図１０を参照すると、３２個のＯＮＴを収容する本例のＣＤＭＡ適用ＰＯＮは、３２個のＯＮＴ６０１〜６３２、ＯＬＴ２６０、及び１×３２光カプラ２０６から構成される。ＯＮＴは、それぞれ１６個のＯＮＴを含む２つのグループ２４０，２５０に区分され、グループ別に異なる上向伝送波長を使用する。従って、第１グループ２４０のＯＮＴは、上向波長λUP1を有するレーザ８２を使用し、第２グループ２５０のＯＮＴは、上向波長λUP2を有するレーザ８４を使用する。さらに、ＯＬＴ２６０は、各グループから伝送された波長を分離するための波長逆多重化フィルタ８６、各波長の光受信器８７，８８を備える。
【００４３】
図７ないし図１０に示すように、本発明の第４実施例は、第２実施例のように、３２個のＯＮＴ６０１〜６３２が１６個のＯＮＴを有する２つのグループ２４０，２５０に区分される。各グループ内のＯＮＴ６０１〜６３２は、第２実施例のように１６チップシーケンスＣＤＭＡコードを使用する。各グループを区別するために、この実施例においては、各グループ別に異なる上向伝送波長を使用する。つまり、第１グループ２４０は、上向波長λUP1を使用し、第２グループ２５０は、上向波長λUP2を使用する。従って、第１グループ２４０内のＯＮＴ６０１〜６１６は、上向波長λUP1を有するレーザダイオード８２を使用し、第２グループ２５０内のＯＮＴ６１７〜６３２は、上向波長λUP2を有するレーザダイオード８４を使用する。各ＯＮＴ６０１〜６３２から伝送された信号は、１×３２光カプラ２０６において結合された後、ＯＬＴ２６０内の波長逆多重化フィルタ８６において波長別に分離される。波長λUP1及びλUP2別に分離された光信号は、光受信器８７，８８によって電気信号に変換された後、図２において説明したようなＣＤＭＡ受信器において元の１００Mbpsイーサネット信号に復元される。
【実施例５】
【００４４】
図１１は、本発明のＣＤＭＡ適用ＰＯＮ方式をＷＤＭ−ＰＯＮに適用した第５実施例を示す図であり、図１２は、図１１のＷＤＭ−ＰＯＮのＯＮＴの構成を示す図であり、図１３は、図１１のＷＤＭ−ＰＯＮのＯＬＴの構成を示す図である。
【００４５】
図１１ないし図１３を参照すると、ＷＤＭ−ＰＯＮは、ＯＮＴグループ２７０，２８０、ＯＬＴ２９２、波長分割多重化／逆多重化器２９０、及び光カプラ２０７，２０８から構成され、各ＯＮＴグループ２７０，２８０は、それぞれ１６個のＯＮＴ６５１〜６６６，６６７〜６８２から構成される。この方式において、各ＯＮＴは、割り当てられた波長でデータを送受信するための光送信器９０及び光受信器９２をもち、同一の波長を使用する場合にＷＤＭフィルタとして光サーキュレータ９１を有する。ＯＬＴ２９２は、光サーキュレータ９３、波長分割多重化器９７、逆多重化器９４、各波長を受信する光受信器９５，９６、及び各波長を送信する光送信器９８，９９を備える。
【００４６】
この方式において、ＯＮＴ６５１〜６８２は、１６個のＯＮＴから構成されたｎ個のグループ２７０〜２８０を形成する。各グループは、グループ別に異なる波長を使用する。つまり、第１グループは波長λ1を、第２グループは波長λ2を、第ｎグループは波長λnを使用する。従って、各ＯＮＴは、割り当てられた波長でデータを送受信するために光送信器９０及び光受信器９２を備え、送受信波長が同一である場合は、光サーキュレータ９１を備える。送受信波長が異なる場合には、光サーキュレータ９１の代わりに上記実施例のようなＷＤＭフィルタまたは光カプラを使用することができる。各グループ内の１６個のＯＮＴ６５１〜６６６，６６７〜６８２，・・・は、前述した実施例と同様に１６チップシーケンスＣＤＭＡコードを利用して区別される。各グループ内の１６個のＯＮＴ６５１〜６６６，６６７〜６８２において光変調された信号は、１×１６光カプラ２０７，２０８において結合され、ＷＤＭの多重化／逆多重化器２９０を通じて多重化された後、ＯＬＴ２９２に伝送される。ＯＬＴ２９２の入力部の光サーキュレータ９３から上向伝送された光信号は、波長分割逆多重化器９４に伝送されて波長別分離され、光受信器９５，９６によって電気信号に変換された後、図２のような１×１６ＣＤＭＡ受信器において元の信号に復元される。下向に送られる１．２５Gbps イーサネット信号は、グループ別に割り当てられた波長を有する光送信器９８，９９において光変調され、波長分割多重化器９７において多重化された後、光サーキュレータ９３を通じて下向伝送される。ＯＮＴ６５１〜６８２のサーキュレータ同様、光サーキュレータ９３は、光カプラまたはＷＤＭフィルタに代替可能である。光サーキュレータ９３を通じて下向伝送された信号は、波長分割逆多重化器２９０において波長別に分離された後、光カプラ２０７，２０８を通じて各グループ内のＯＮＴに伝送される。
【００４７】
表１は、ＣＤＭＡコードとしてウォルシュアダマール(Walsh Hadamard)コードを使用する場合、１６加入者に割り当てられる１６チップを１つのシーケンスとして有するウォルシュコードテーブルである。各コードは、完全に直交(orthogonal)の特性を有する。
【００４８】
【表１】
2004282742.tif 000003
【００４９】
図１４は、ＣＤＭＡ適用ＰＯＮの動作検証のためのシミュレーションにおいてＯＮＴレベル変換器の出力信号(入力データ)の波形を示し、図１５は、ＣＤＭＡ適用ＰＯＮの動作検証のためのシミュレーションにおいて１６個のＯＮＴから伝送された上向信号を結合する１×１６光カプラの出力信号の波形を示し、図１６は、ＣＤＭＡ適用ＰＯＮの動作検証のためのシミュレーションにおいてＯＬＴ内の第１ＣＤＭＡ受信器の相関信号の波形を示し、該相関信号は、受信信号と第１ＣＤＭＡコードの相関出力信号を示す。図１７は、ＣＤＭＡ適用ＰＯＮの動作検証のためのシミュレーションにおいてＯＬＴ内の第１ＣＤＭＡ受信器によって復元された出力信号(つまり、復元された出力データ)の波形を示す。
【００５０】
以上、本発明を具体的な実施形態を参照して詳細に説明してきたが、本発明の範囲は前述の実施形態によって限られるべきではなく、本発明の範囲内で様々な変形が可能であるということは、当該技術分野における通常の知識を持つ者には明らかである。
【図面の簡単な説明】
【００５１】
【図１Ａ】従来の技術によるＡＴＭ方式を適用したＡＴＭ−ＰＯＮを示す図。
【図１Ｂ】従来の技術によるイーサネット方式を適用したイーサネットＰＯＮを示す図。
【図１Ｃ】従来の技術によるＷＤＭ方式を適用したＷＤＭ−ＰＯＮを示す図。
【図１Ｄ】ＣＤＭＡ技術を適用した光加入者ネットワークを示す図。
【図２】本発明によるＣＤＭＡを適用したＰＯＮの第１実施例を示す図。
【図３】本発明による３２個のＯＮＴを収容するＣＤＭＡ適用ＰＯＮの第２実施例を示す図。
【図４】図３のＣＤＭＡ適用ＰＯＮのＯＮＴ構成を示す図。
【図５】図３のＣＤＭＡ適用ＰＯＮのＯＬＴ構成を示す図。
【図６】本発明による３２個のＯＮＴを収容するＣＤＭＡ適用ＰＯＮの第３実施例を示す図。
【図７】本発明による３２個のＯＮＴを収容するＣＤＭＡ適用ＰＯＮの第４実施例を示す図。
【図８】図７のＣＤＭＡ適用ＰＯＮの第１グループ内のＯＮＴの構造を示す図。
【図９】図７のＣＤＭＡ適用ＰＯＮの第２グループ内のＯＮＴの構造を示す図。
【図１０】図７のＣＤＭＡ適用ＰＯＮのＯＬＴの構造を示す図。
【図１１】本発明によるＣＤＭＡ適用ＰＯＮ方式をＷＤＭ−ＰＯＮに適用した第５実施例を示す図。
【図１２】図１１のＷＤＭ−ＰＯＮのＯＮＴ構成を示す図。
【図１３】図１１のＷＤＭ−ＰＯＮのＯＬＴ構成を示す図。
【図１４】本発明によるＣＤＭＡ適用ＰＯＮの動作検証のためのシミュレーションにおいて入力信号波形を示す図。
【図１５】本発明によるＣＤＭＡ適用ＰＯＮの動作検証のためのシミュレーションにおいて光カプラから出力される上向信号の波形を示す図。
【図１６】本発明によるＣＤＭＡ適用ＰＯＮの動作検証のためのシミュレーションにおいてＯＬＴ内のＣＤＭＡ受信器の相関計算の結果波形を示す図。
【図１７】本発明によるＣＤＭＡ適用ＰＯＮの動作検証のためのシミュレーションにおいて復元された出力データの波形を示す図。
【符号の説明】
【００５２】
１０１〜１１６  ＯＮＴ
１０  スイッチング部（ハブ／スイッチ）
１２  レベル変換器
１４  乗算器
１６  レーザドライバ
１８  レーザダイオード
２０  ＷＤＭフィルタ
２２  光受信器
２４  コード発生器
２６  ＷＤＭフィルタ
２００  光カプラ
３０１〜３０Ｎ  ＯＬＴ
２６  ＷＤＭフィルタ
２８  光受信器
２９  分波器
３０  ＣＤＭＡ受信器
３２  乗算器
３４  コード発生器
３６  データ判別器
３８  光送信器
４０  スイッチング部
【図１Ａ】
2004282742.tif 000004
【図１Ｂ】
2004282742.tif 000005
【図１Ｃ】
2004282742.tif 000006
【図１Ｄ】
2004282742.tif 000007
【図２】
2004282742.tif 000008
【図３】
2004282742.tif 000009
【図４】
2004282742.tif 000010
【図５】
2004282742.tif 000011
【図６】
2004282742.tif 000012
【図７】
2004282742.tif 000013
【図８】
2004282742.tif 000014
【図９】
2004282742.tif 000015
【図１０】
2004282742.tif 000016
【図１１】
2004282742.tif 000017
【図１２】
2004282742.tif 000018
【図１３】
2004282742.tif 000019
【図１４】
2004282742.tif 000020
【図１５】
2004282742.tif 000021
【図１６】
2004282742.tif 000022
【図１７】
2004282742.tif 000023